(57)【要約】【課題】一対のケースを厚さ方向に結合して筐体を構成する筐体構造において、２つのケースの合わせ目となる境界線を隠して、筐体のデザイン向上を図ることができるようにする。【解決手段】第１のケース２１と第２のケース２３とを互いに厚さ方向に結合して筐体３を構成する筐体構造であって、前記第１のケース２１が、略平板状に形成された主壁部２４と、該主壁部２４の側部に配される側壁部２５及び前記主壁部２４の端部に端壁部３９とにより一方向に開口部２１ｅを有する箱状に形成され、前記第２のケース２３が、前記第１のケース２１の開口部２１ｅを閉じる位置に配されると共に、前記第２のケース２３の周縁部が前記側壁部２５の内側に位置することを特徴とする筐体構造を提供する。【選択図】      図２
2004236181.tif 000002
【特許請求の範囲】
【請求項１】
第１のケースと第２のケースとを互いに厚さ方向に結合して筐体を構成する筐体構造であって、
前記第１のケースが、略平板状に形成された主壁部と、該主壁部の側部に配される側壁部及び前記主壁部の端部に配される端壁部とにより一方向に開口部を有する箱状に形成され、
前記第２のケースが、前記第１のケースの開口部を閉じる位置に配されると共に、前記第２のケースの周縁部が前記側壁部の内側に位置することを特徴とする筐体構造。
【請求項２】
前記第１のケースは、前記主壁部と前記端壁部と前記側壁部の内面側を形成する内側壁部とを有するケース本体部と、前記側壁部の外面側を形成する外側壁部材とを備え、
該外側壁部材は前記ケース本体部に当接し、
前記ケース本体部と前記外側壁部材とを係合する係合手段が設けられていることを特徴とする請求項１に記載の筐体構造。
【請求項３】
前記係合手段が、前記ケース本体部の内側壁部又は前記外側壁部材のいずれか一方の当接面に形成された穴部と、
前記外側壁部材又は前記ケース本体部の内側壁部のいずれか他方の当接面に形成され、前記穴部に係合可能な係合部とを有することを特徴とする請求項２に記載の筐体構造。
【請求項４】
前記外側壁部材の頂部が、前記内側壁部の頂部より突出していることを特徴とする請求項２又は請求項３に記載の筐体構造。
【請求項５】
前記第１のケースに、前記側壁部の内面側から突出する突出部が形成され、
該突出部に、前記筐体の厚さ方向に貫通する貫通孔が形成され、
前記第２のケースに、該第２のケース内面側から前記筐体の厚さ方向に突出するリブが形成され、
該リブが、前記貫通孔に挿通してあること特徴とする請求項１乃至請求項４のいずれかに記載の筐体構造。
【請求項６】
相互に重ね合わせ可能な２つの筐体と、該２つの筐体を重ね合わせ方向に沿う基準軸線回りに相互に回動可能に連結する連結手段とを備え、
少なくとも一方の筐体が、請求項１乃至請求項５のいずれかに記載の筐体構造を有し、
前記一方の筐体の主壁部に表示部が設けられ、
前記２つの筐体を重ね合わせたときに、前記第２のケースが他方の筐体に対向して配置されることを特徴とする携帯端末装置。
【請求項７】
相互に重ね合わせ可能な２つの筐体と、該２つの筐体を重ね合わせ方向に沿う基準軸線回りに相互に回動可能に連結する連結手段とを備え、
少なくとも一方の筐体が、請求項１乃至請求項５のいずれかに記載の筐体構造を有し、
前記一方の筐体の主壁部に操作部が設けられ、
前記２つの筐体を重ね合わせたときに、前記主壁部が他方の筐体に対向して配置されることを特徴とする携帯端末装置。
【発明の詳細な説明】
【０００１】
【発明の属する技術分野】
この発明は、一対のケースを厚さ方向に結合して筐体を構成する筐体構造、及びこの筐体構造を備えた携帯端末装置に関する。
【０００２】
【従来の技術】
従来、携帯端末装置としては、略平板状に形成された底壁部とその内面周囲に配される側壁部とにより箱状に形成された一対のケースを有し、互いの側壁部の頂部を当接させてこれら２つのケースを結合した筐体を備えたものがある（例えば、特許文献１参照。）。
この筐体の側面には、線状に形成された一対のケースの境界線が露出している。また、この筐体を構成する一方のケースの側面には、両面テープによってゴムやウレタン樹脂等の軟質樹脂部材が、前述の境界線に沿って貼り付けられている。
【０００３】
【特許文献１】
特開平１１−２５２２２５号公報
【０００４】
【発明が解決しようとする課題】
しかしながら、従来の携帯端末装置においては、側面の境界線を隠していないため、筐体のデザインが制約されるという問題があった。
また、この境界線を隠すように、２つのケースにわたって軟質樹脂部材を貼り付けた場合には、筐体を２つのケースに分離する際に軟質樹脂部材を剥がす必要があったため、軟質樹脂部材を再利用できないという問題があった。
また、軟質樹脂部材は、両面テープのみによって固定されていたため、熱による変形や人の手によって剥がれてしまうという虞があった。
【０００５】
この発明は、上述した事情に鑑みてなされたものであって、筐体側面に露出する境界線を隠して、筐体のデザイン向上を図ることができる筐体構造及びこれを備えた携帯端末装置の提供を目的とする。
【０００６】
【課題を解決するための手段】
上記課題を解決するために、この発明は以下の手段を提案している。
請求項１に係る発明は、第１のケースと第２のケースとを互いに厚さ方向に結合して筐体を構成する筐体構造であって、前記第１のケースを、略平板状に形成された主壁部と、該主壁部の側部に配される側壁部及び前記主壁部の端部に配される端壁部とにより一方向に開口部を有する箱状に形成し、前記第２のケースを、前記第１のケースの開口部を閉じる位置に配すると共に、前記第２のケースの周縁部を前記側壁部の内側に位置するようにしたことを特徴とする。
【０００７】
この発明に係る筐体構造によれば、第１、第２のケースを結合して筐体を構成した状態において、第２のケースが第１のケースの開口部側に位置する筐体の表面にのみ露出するため、この表面に隣接する側面に第１のケースと第２のケースとの境界線（係合部）が現れることがない。
【０００８】
請求項２に係る発明は、請求項１に記載の筐体構造において、前記第１のケースを、前記主壁部と前記端壁部と前記側壁部の内面側を形成する内側壁部とを有するケース本体部と、前記側壁部の外面側を形成する外側壁部材とから構成し、該外側壁部材を前記ケース本体部と当接させ、前記ケース本体部と前記外側壁部材とを係合する係合手段を設けたことを特徴とする。
【０００９】
請求項３に係る発明は、請求項２に記載の筐体構造おいて、前記係合手段が、前記ケース本体部の内側壁部又は前記外側壁部材のいずれか一方の当接面に形成された穴部と、前記外側壁部材又は前記ケース本体部の内側壁部のいずれか他方の当接面に形成され、前記穴部に係合可能な係合部とを有することを特徴とする。
【００１０】
この発明に係る筐体構造によれば、係合手段により外側壁部材とケース本体部とを係合させることにより、外側壁部材がケース本体部から離間する方向に移動することを防止できる。特に、穴部に突出部を係合させることにより、外側壁部材がケース本体部から離間する方向に移動することを確実に防止できる。
また、第１のケースをケース本体部と外側壁部材とに分割して形成することにより、ケース本体部及び外側壁部材にそれぞれ別の塗装やデザインを容易に施すことができるため、筐体に多様なデザインを形成することができる。
【００１１】
請求項４に係る発明は、請求項２又は請求項３に記載の筐体構造おいて、前記外側壁部材の頂部が、前記内側壁部の頂部より突出していることを特徴とする。
この発明に係る筐体構造によれば、筐体の側面に内側壁部が露出しないため、筐体の側面にケース本体部と外側壁部材との境界線が現れない。
【００１２】
請求項５に係る発明は、請求項１乃至請求項４のいずれかに記載の筐体構造おいて、前記第１のケースに、前記側壁部の内面側から突出する突出部が形成され、該突出部に、前記筐体の厚さ方向に貫通する貫通孔を設け、前記第２のケースに、該第２のケース内面側から前記筐体の厚さ方向に突出するリブを形成し、該リブを、前記貫通孔に挿通してあることを特徴とする。
【００１３】
この発明に係る筐体構造によれば、第２のケースにより第１のケースの開口部を閉じる際に、リブを貫通孔に挿入することにより、第１、第２のケースの相対的な位置決めを容易に行うことができる。
また、リブが外側壁部材に形成されている場合には、外側壁部材が第２のケースに対して筐体の厚さ方向に直交する方向に移動することを規制できるため、外側壁部材が第２のケースから外れることを防止できる。
【００１４】
請求項６に係る発明は、相互に重ね合わせ可能な２つの筐体と、これら２つの筐体を重ね合わせ方向に沿う基準軸線回りに相互に回動可能に連結する連結手段とを備え、少なくとも一方の筐体が、請求項１乃至請求項５のいずれかに記載の筐体構造を有し、前記一方の筐体の主壁部に表示部が設けられ、前記２つの筐体を重ね合わせたときに、前記第２のケースを他方の筐体に対向させるように配置して携帯端末装置を構成したことを特徴とする。
請求項７に係る発明は、相互に重ね合わせ可能な２つの筐体と、これら２つの筐体を重ね合わせ方向に沿う基準軸線回りに相互に回動可能に連結する連結手段とを備え、少なくとも一方の筐体が、請求項１乃至請求項５のいずれかに記載の筐体構造を有し、前記一方の筐体の主壁部に操作部が設けられ、前記２つの筐体を重ね合わせたときに、前記主壁部を他方の筐体に対向させるように配置して携帯端末装置を構成したことを特徴とする。
【００１５】
これらの発明に係る携帯端末装置によれば、表示部又は操作部が露出する主壁部及び側壁部に第１及び第２の境界線（係合部）が現れないため、表示部や操作部を見ている際や側面から見て第１及び第２のケースの境界線（係合部）を視認することがない。
また、特に、請求項６に係る発明によれば、２つの筐体を互いに閉じた状態においては、第１及び第２のケースの境界線（係合部）が、他方の筐体により覆い隠されて携帯端末装置の外方に露出しない。
【００１６】
【発明の実施の形態】
図１から図９は本発明に係る一実施形態を示しており、ここで説明する実施の形態は、この発明を携帯電話機に適用した場合のものである。この実施の形態に係る携帯電話機（携帯端末装置）１は、図１に示すように、第１の筐体２と、第１の筐体２の表面６に重ね合わせ可能な第２の筐体３と、これら２つの筐体２，３を第１の筐体２の表面６に直交する第１の軸線（基準軸線）Ｌ１回りに相互に回動可能に連結すると共に、第２の筐体３を第１の軸線Ｌ１に直交する第２の軸線Ｌ２回りに揺動可能に連結する連結手段５とを備えている。この連結手段５は、第１，第２の筐体２，３の長手方向の一端部１４，１５（以下、基端部１４，１５と記載する。）に配されている。
【００１７】
第１の筐体２の表面６には、通話キー、終話キー、数字キー等の各種の押圧可能な操作キーからなる操作部７が設けられている。また、この表面６のうち、第１の筐体２の基端部１４と反対側に位置する先端部１６にはマイクロフォン部９が設けられている。これら操作部７及びマイクロフォン部９は、第１、第２の筐体２，３を互いに重ね合わせて閉じた状態において、第２の筐体３により覆い隠される。
【００１８】
第２の筐体３の内部には、各種情報を表示する表示部１１が設けられており、表示部１１の表示面１１ａが、第２の筐体３の表面１０側に露出している。また、表面１０のうち、第２の筐体３の基端部１５と反対側に位置する先端部１７にはスピーカー部１３が設けられている。このスピーカー部１３は、マイクロフォン部９と共に通話の際に使用するものである。
なお、本実施形態では、第１の筐体２の表面６は、図１（ｃ）に示すように、２つの筐体２，３を互いに閉じた状態において、第２の筐体３の表面１０の背面側に位置する裏面１８と当接させてあるが、この裏面１８との間に微小な空間を設けるようにしても構わない。
【００１９】
この第２の筐体３は、平面視略矩形状に形成されており、図２に示すように、第２の筐体３の表面１０と、表面１０に隣接する側面２２とを有するフロントケース（第１のケース）２１、及び、第２の筐体３の裏面１８を有するリアケース（第２のケース）２３を備えている。これらフロントケース２１及びリアケース２３は、互いに第２の筐体３の厚さ方向に結合可能となっている。
【００２０】
フロントケース２１は、平面視略矩形かつ略平板状に形成された主壁部２４と、主壁部２４の幅方向の両側部に配された側壁部２５と、主壁部２４の長手方向の両端部に配された端壁部３９により一方向に開口する箱状に形成されている。リアケース２３は、フロントケース２１の開口部２１ｅを閉じる位置に配した状態において、その周縁部が側壁部２５及び端壁部３９の内側に位置するように形成されている。
第２の筐体３をこのように構成することにより、フロントケース２１とリアケース２３との境界線（係合部）が、裏面１８側のみに現れることになり、第２の筐体３の側面２２には、フロントケース２１とリアケース２３との境界線が現れない。
【００２１】
フロントケース２１は、図３に示すように、ケース本体部２６及び外側壁部材２８を備えている。ケース本体部２６は、フロントケース２１の主壁部２４と、端壁部３９と、側壁部２５の内面側を形成する内側壁部４０とを備えている。
主壁部２４の外面１０には、凹部３５が形成されており、凹部３５の底面３５ａには、平面視略矩形状の貫通孔３７が形成されている。この貫通孔３７は、表示部１１を外方に露出させるためのものであり、この貫通孔３７内に表示部１１が配置されることになる。また、主壁部２４の幅方向の両側部には、第２の筐体３の長手方向にわたって外面１０から厚さ方向に凹んだ段部３８が形成されている。
また、内側壁部４０は、端壁部３９よりもケース本体部２６の内方側に凹んで形成されている。
【００２２】
また、ケース本体部２６は、光を透過するガラス、アクリル等からなる透過性部材から形成されたトリムプレート２７を備えている。このトリムプレート２７は、凹部３５に挿入された状態において、凹部３５の底面３５ａに当接するようになっている。このトリムプレート２７により表示部１１の表示面１１ａが保護されることになる。
【００２３】
外側壁部材２８は、ケース本体部２６の幅方向の両側部に両面テープＴにより仮固定するようになっており、フロントケース２１の主壁部２４の一部及び側壁部２５の外面側を形成するものである。この外側壁部材２８は、図４に示すように、細長い略平板状に形成された第１側壁部４１と、第１側壁部４１の幅方向の一端部４１ｂからその厚さ方向に突出する第２側壁部４３とを備えている。第１側壁部４１は、ケース本体部２６の内側壁部４０に当接するように形成されており、第２側壁部４３は、ケース本体部２６の段部３８に当接するように形成されている。
【００２４】
第２側壁部４３の先端部４３ｂには、３種類の突出部５１，５３，５５が２つずつ形成されている。
１つ目の突出部（係合部）５１は、図５に示すように、第２側壁部４３の内面（当接面）４３ａから第１側壁部４１の内面（当接面）４１ａに沿う方向に突出して形成されており、その先端部５１ａが突起５１ｂを有する鉤状に形成されている。
この突出部５１の先端部５１ａは、ケース本体部２６の凹部３５の底面３５ａに形成された穴５２に挿入されており、突出部５１の突起５１ｂは、トリムプレート２７と穴５２とにより挟み込まれている。すなわち、この構成の場合には、外側壁部材２８の突出部５１が、穴５２及びトリムプレート２７により形成される穴部８１に係合することになり、外側壁部材２８がケース本体部２６から離間する方向に移動することを防止している。これら突出部５１及び穴部８１とにより係合手段１０１が構成されている。
【００２５】
また、２つ目の突出部５３は、図６に示すように、第２側壁部４３の先端部４３ｂから第１側壁部４１の内面４１ａに直交する方向に突出して形成されている。
ケース本体部２６の段部３８の外面（当接面）３８ａには、ケース本体部２６の幅方向に開口する穴５４が形成されており、突出部５３は、この穴５４に挿入されている。これにより、外側壁部材２８が、段部３８の外面３８ａから離間する方向に移動することを規制すると共に、ケース本体部２６の長手方向にズレることを規制している。
【００２６】
３つ目の突出部５５は、図７に示すように、第２側壁部４３の内面４３ａから第１側壁部４１の内面４１ａに沿う方向に突出して形成されている。
ケース本体部２６の段部３８の外面３８ａには、ケース本体部２６の厚さ方向に開口する穴５６が形成されており、突出部５５は、この穴５６に挿入されている。これにより、外側壁部材２８が、内側壁部４０の外面（当接面）４０ａから離間する方向に移動することを規制している。
以上のことから、突出部５３，５５を穴５４，５６にそれぞれ挿入することにより、外側壁部材２８がケース本体部２６から離間する方向に移動することを防止できる。これら突出部５３，５５及び穴５４，５６により係合手段１０２が構成されている。
【００２７】
なお、突出部５１，５３，５５を穴５２，５４，５６にそれぞれ挿入している状態においては、外側壁部材２８の第１側壁部４１の内面４１ａが内側壁部４０の外面４０ａに当接すると共に、第２側壁部４３の内面４３ａが段部３８の外面３８ａに当接している。また、前述した両面テープＴはこれら外面４０ａ，３８ａと内面４１ａ，４３ａとの間に配されている。
【００２８】
以上のように、ケース本体部２６と外側壁部材２８とを一体的に固定することによりフロントケース２１が構成されることになる。したがって、ケース本体部２６の主壁部２４、トリムプレート２７及び外側壁部材２８の第２側壁部４３により、フロントケース２６の主壁部２４が構成される。また、ケース本体部２６の内側壁部４０、及び外側壁部材２８の第１側壁部４１により、フロントケース２６の側壁部２５が構成される。
なお、ケース本体部２６と外側壁部材２８とを一体的に固定した状態においては、図８に示すように、外側壁部材２８を構成する第１側壁部４１の先端部（頂部）４１ｃが、ケース本体部２６を構成する内側壁部４０の先端部（頂部）４０ｃよりも第２のケース２３側に突出している。
【００２９】
図３に示すように、リアケース２３の幅方向の両側部には、厚さ方向に貫通する貫通孔６１、及び、フロントケース２１に対向するリアケース２３の内面２３ａから突出するリブ６３がそれぞれ複数形成されている。
貫通孔６１は、フロントケース２１のケース本体部２６とリアケース２３とを固定するために形成されている。すなわち、図８に示すように、ケース本体部２６には、主壁部２４の内面２４ａから貫通孔６１に向けて突出する筒状体６５が形成されている。そして、貫通孔６１を介して固定用ネジ７１を筒状体６５に螺合させることにより、ケース本体部２６とリアケース２３とを相互に固定している。
【００３０】
リブ６３は、フロントケース２１を構成する外側壁部材２８が、リアケース２３対して移動することを規制するものである。すなわち、図９に示すように、外側壁部材２８を構成する第１側壁部４１の幅方向の他端部４１ｃには、内面４１ａから第１側壁部４１の厚さ方向に突出する複数の突出部５８が形成されている。そして各突出部５８には、それぞれ第１側壁部４１の幅方向に貫通する貫通孔５９が形成されている。そして、この貫通孔５９にリブ６３を挿入することにより、外側壁部材２８がリアケース２３の内面２３ａに沿う方向に移動することを規制できる。
【００３１】
以上のように構成された携帯電話機１の使用方法について説明する。
この携帯電話機１を鞄や衣服のポケットに収容して携行する場合には、図１（ｃ）に示すように、２つの筐体２，３が互いに閉じられた状態となっており、スピーカー部１５が第２の筐体３の外方に露出している。
この状態において、例えば、着信信号を受信して通話を行う場合には、図１（ｂ）に示すように、第２の筐体３を第１の筐体２に対して第１の軸線Ｌ１回りに回動させて２つの筐体２，３を相互に開き、マイクロフォン部９及びスピーカー部１３を通じて通話を開始する。ここで、マイクロフォン部９やスピーカー部１３が口元や耳元から離間している場合には、第１の筐体２に対して第２の筐体３を第２の軸線Ｌ２回りに揺動させて、マイクロフォン部９とスピーカー部１３との相対位置を調整することができる。
【００３２】
上記のように、この第２の筐体３の構造によれば、第２の筐体３の側面２２には、フロントケース２１とリアケース２３との境界線が現れないため、第２の筐体３のデザイン向上を図ることができる。
また、フロントケース２１をケース本体部２６と外側壁部材２８とに分割して形成することにより、ケース本体部２６及び外側壁部材２８にそれぞれ別の塗装やデザインを容易に施すことができるため、第２の筐体３に多様なデザインを容易に与えることができる。
さらに、第１側壁部４１の先端部４１ａを、内側壁部４０の先端部４０ａから突出させることにより、第２の筐体３の側面２２側に内側壁部４０が露出しないため、第２の筐体３の側面２２にケース本体部２６と外側壁部材２８との境界線が現れることがなく、第２の筐体３のデザイン向上をさらに図ることができる。
【００３３】
また、係合手段１０１，１０２によりケース本体部２６に対する外側壁部材２８の移動が防止されるため、両面テープＴの密着力が低下しても、外側壁部材２８がケース本体部２６から脱落することを確実に防止できる。
さらに、リアケース２３によりフロントケース２１の開口部２１ａを閉じる際には、リアケース２３のリブ６３が外側壁部材２８の貫通孔５９に挿入されるため、フロントケース２１とリアケース２３との相対的な位置決めを容易に行うことができる。
また、リブ６３を貫通孔５９に挿入した状態においては、リアケース２３に対する外側壁部材２８の移動が規制されるため、外側壁部材２８がリアケース２３から分離することを防止できる。
【００３４】
また、この第２の筐体３を備えた携帯電話機１によれば、第２の筐体３の側面２２、及び表示部１１の表示面１１ａが露出する表面１０に、フロントケース２１とリアケース２３との境界線が現れないため、表示部１１と同時にこの境界線を視認することがない。また、２つの筐体２，３を互いに閉じた状態においては、第２の筐体３の裏面１８に露出するフロントケース２１とリアケース２３との境界線が、第１の筐体２により覆い隠されて携帯端末装置の外方に露出しないため、良好なデザインを有する携帯電話機１を提供できる。
【００３５】
なお、上記の実施の形態においては、ケース本体部２６と外側壁部材２８との固定に両面テープＴを使用することで、第２の筐体３の組み立て性を向上させるようにしたが、特に使用しなくてもよい。この場合には、ケース本体部２６と外側壁部材２８との係合を解除して容易に分解することができるため、ケース本体部２６や外側壁部材２８を再利用することも可能である。
【００３６】
また、鉤状に形成された突出部５１は、外側壁部材２８の第２側壁部４３に形成されるとしたが、これに限ることはなく、例えば、外側壁部材２８の第１側壁部４１に形成されるとしてもよい。この場合には、突出部５１を係合させる穴部を内側壁部４０の外面４０ａに形成すればよい。また、例えば、突出部５１をケース本体部２６の段部３８や内側壁部４０に形成するとしてもよい。この場合には、突出部５１を係合させる穴部を、外側壁部材２８を構成する第２側壁部４３の内面４３ａや第１側壁部４１の内面４１に形成すればよい。
【００３７】
また、突出部５３，５５を外側壁部材２８に形成し、穴５４，５６をケース本体部２６に形成するとしたが、これに限ることはなく、例えば、突出部５３，５５をケース本体部２６に形成し、この突出部５３，５５を挿入する穴を外側壁部材２８に形成するとしてもよい。
さらに、２つの係合手段１０１，１０２を設けるとしたが、少なくともいずれか一方の係合手段が設けられていればよい。
【００３８】
また、第２の筐体３の構造を第１の筐体２に適用しても構わない。ただし、この場合には、操作部７が露出する表面６を箱状に形成されたフロントケースにより構成し、表面６の背面側となる裏面をリアケースにより構成することが好ましい。フロントケースとリアケースとの境界線を操作部７と同時に視認させないためである。
さらに、携帯電話機１に限ることはなく、ＰＤＡ（Ｐｅｒｓｏｎａｌ  Ｄｉｇｉｔａｌ  Ａｓｓｉｓｔａｎｔｓ）やノートパソコンのように、２つの筐体を連結手段により互いに回動可能、かつ開閉自在に連結した携行可能な携帯端末装置であればよい。また、携帯端末装置は、２つの筐体を有することに限ることはなく、例えば、本実施形態の筐体構造を有する１つの筐体から構成されていても構わない。
【００３９】
以上、本発明の実施形態について図面を参照して詳述したが、具体的な構成はこの実施形態に限られるものではなく、本発明の要旨を逸脱しない範囲の設計変更等も含まれる。
【００４０】
【発明の効果】
以上説明したように、請求項１の発明によれば、筐体の側面に第１、第２のケースの境界線が現れないため、筐体のデザイン向上を図ることができる。
【００４１】
請求項２及び請求項３に係る発明によれば、ケース本体部と外側壁部材とを係合手段により係合させているため、外側壁部材がケース本体部から脱落することを防止できる。また、第１のケースをケース本体部と外側壁部材とに分割して形成するため、筐体に多様なデザインを容易に与えることができる。
【００４２】
請求項４に係る発明によれば、前記外側壁部材の頂部を、内側壁部の頂部から突出させることにより、筐体の側面にケース本体部と外側壁部材との境界線が露出することを防止できるため、筐体のデザイン向上をさらに図ることができる。
【００４３】
請求項５に係る発明によれば、第１、第２のケースの相互の位置決めが容易となるため、筐体の組み立てを効率よく行うことができる。また、リブが外側壁部材に形成されている場合には、外側壁部材が第２のケースから分離することを防止できる。
【００４４】
請求項６及び請求項７に係る発明によれば、表示部や操作部を視認する状態や２つの筐体を互いに重ね合わせて閉じた状態においては、第１、第２のケースの境界線が、表示部や操作部と同時に視認されたり、外方に露出することがないため、良好なデザインを有する携帯端末装置を提供できる。
【図面の簡単な説明】
【図１】この発明の一実施形態に係る携帯電話機を示しており、（ａ）は、第１、第２の筐体を相互に開いた状態の平面図であり、（ｂ）は、第１、第２の筐体を相互に開いた状態の概略を示す側面図であり、（ｃ）は、第１、第２の筐体を相互に閉じた状態の概略を示す側面図である。
【図２】図１の携帯電話機において、第２の筐体をフロントケースとリアケースとに分解した状態を示す斜視図である。
【図３】図１の携帯電話機において、第２の筐体をケース本体部、トリムプレート、外側壁部材及びリアケースに分解した状態を示す斜視図である。
【図４】図１の携帯電話機において、外側壁部材を示す拡大斜視図である。
【図５】図１の携帯電話機において、第２の筐体の要部を示す拡大断面図である。
【図６】図１の携帯電話機において、第２の筐体の要部を示す拡大断面図である。
【図７】図１の携帯電話機において、第２の筐体の要部を示す拡大断面図である。
【図８】図１の携帯電話機において、第２の筐体の要部を示す拡大断面図である。
【図９】図１の携帯電話機において、第２の筐体の要部を示す拡大断面図である。
【符号の説明】
１  携帯電話機（携帯端末装置）
２  第１の筐体
３  第２の筐体
５  連結手段
７  操作部
１０  表面
１１  表示部
２１  フロントケース（第１のケース）
２１ｅ  開口部
２３  リアケース（第２のケース）
２３ａ  内面
２４  主壁部
２５  側壁部
２６  ケース本体部
２８  外側壁部材
３９  端壁部
４０  内側壁部
３８ａ，４０ａ  外面（当接面）
４０ｃ  先端部（頂部）
４１  第１側壁部
４１ａ，４３ａ  内面（当接面）
４１ｃ  先端部（頂部）
４３  第２側壁部
５１  係合部
５８  突出部
５９  貫通孔
６３  リブ
８１  穴部
１０１，１０２  係合手段
Ｌ１  第１の軸線（基準軸線）
【図１】
2004236181.tif 000003
【図２】
2004236181.tif 000004
【図３】
2004236181.tif 000005
【図４】
2004236181.tif 000006
【図５】
2004236181.tif 000007
【図６】
2004236181.tif 000008
【図７】
2004236181.tif 000009
【図８】
2004236181.tif 000010
【図９】
2004236181.tif 000011